(57)【特許請求の範囲】
【請求項１】
表示セルとバックライトをフレームに収納し、
前記表示セルを表示させるための回路基板を前記フレームの下面に配した平面表示装置において、
前記フレームに収納された前記表示セルの表示面以外の部分を額縁状の第１のベセルカバーで覆い、
前記フレームの下面を第２のベゼルカバーで覆い、
前記回路基板のコネクタ接続部分に対応する前記第２のベゼルカバーの位置に、前記コネクタ接続部分を見ることができる確認穴が開口し、
前記回路基板は、
前記表示セルの信号線へアナログ画像信号を供給する信号線側回路基板と、
前記表示セルの走査線へゲート信号を供給する走査線側回路基板と、
前記バックライトのランプを点灯させる点灯回路基板と、
前記信号線側回路基板へ少なくともデジタル画像信号、制御信号、電源を供給し、また、前記点灯回路基板へ電源を供給する制御回路基板とを有し、
前記信号線側回路基板と前記制御回路基板、及び、前記点灯回路基板と前記制御回路基板とが、コネクタを有した接続部材でそれぞれ接続され、
前記各コネクタに対応する前記第２のベゼルカバーの位置に前記確認穴がそれぞれ開口している、
ことを特徴とする平面表示装置。
【請求項２】
前記信号線側回路基板と前記走査線側回路基板とが、コネクタを有した接続部材で接続され、
前記コネクタに対応する前記第２のベゼルカバーの位置に前記確認穴が開口している、
ことを特徴とする請求項１記載の平面表示装置。
【発明の詳細な説明】
【０００１】
【発明の属する技術分野】
本発明は、液晶表示装置などの平面表示装置に関するものである。
【０００２】
【従来の技術】
液晶表示装置の構造は、液晶セルの下面にバックライトを配し、この液晶セルとバックライトを合成樹脂製のフレームに収納している。そして、これら液晶セル、バックライト、フレームを金属製のベゼルカバーで覆っている。この場合に、液晶セルを駆動するための回路基板は、フレームの下面に配されている（特開２０００−３１４８８３）。
【０００３】
【発明が解決しようとする課題】
ところで、液晶表示装置の一つである液晶ディスプレイにおいては、パソコンからの制御信号や画像信号を直接入力して表示できるようにするために、液晶表示装置内部に制御回路基板を設けたものが提案されている。
【０００４】
この場合に、電磁波の対策や、強度等のために、上記で説明したベゼルカバー（以下、表ベゼルカバーという）の裏面に、裏ベゼルカバーを配している。そして、制御回路基板は裏ベゼルカバーの内部に位置するフレームの下面に配されている。
【０００５】
上記のように裏ベゼルカバーの内部に制御回路基板を配した場合に、この制御回路基板と、液晶セルを表示するための回路基板との間は、コネクタを付けたコードで接続されている。ところが、このコネクタの接続が悪いと、液晶ディスプレイが正常に動作しないこととなる。
【０００６】
しかしながら、裏ベゼルカバーで全ての回路基板を覆ってしまうため、組立完成後にコネクタの接続が確認できず、この接続不良を検出することが困難であった。
【０００７】
そこで、本発明は上記問題点に鑑み、コネクタの接続状態を容易に確認することができる平面表示装置を提供するものである。
【０００８】
【課題を解決するための手段】
本発明は、表示セルとバックライトをフレームに収納し、前記表示セルを表示させるための回路基板を前記フレームの下面に配した平面表示装置において、前記フレームに収納された前記表示セルの表示面以外の部分を額縁状の第１のベセルカバーで覆い、前記フレームの下面を第２のベゼルカバーで覆い、前記回路基板のコネクタ接続部分に対応する前記第２のベゼルカバーの位置に、前記コネクタ接続部分を見ることができる確認穴が開口し、前記回路基板は、前記表示セルの信号線へアナログ画像信号を供給する信号線側回路基板と、前記表示セルの走査線へゲート信号を供給する走査線側回路基板と、前記バックライトのランプを点灯させる点灯回路基板と、前記信号線側回路基板へ少なくともデジタル画像信号、制御信号、電源を供給し、また、前記点灯回路基板へ電源を供給する制御回路基板とを有し、前記信号線側回路基板と前記制御回路基板、及び、前記点灯回路基板と前記制御回路基板とが、コネクタを有した接続部材でそれぞれ接続され、前記各コネクタに対応する前記第２のベゼルカバーの位置に前記確認穴がそれぞれ開口している、ことを特徴とする平面表示装置である。
【００１１】
本発明の平面表示装置であると、フレームの下面を第２のベゼルカバーで覆っていても、回路基板のコネクタ接続部分に対応する第２のベゼルカバーの位置に確認穴が開口しているため、作業者はその確認穴からコネクタの接続状態を確認することができる。
【００１２】
【発明の実施の形態】
以下、本発明の一実施例の液晶表示装置１０について図１〜図６に基づいて説明する。
【００１３】
この液晶表示装置１０は、図６に示すようにパソコンなどの画面を表示する液晶ディスプレイ１の内部に収納されて使用されるものである。
【００１４】
図１は、その液晶表示装置１０の下面図であり、図３は上面図である。
【００１５】
液晶表示装置１０は、図３及び図５に示すように、液晶セル１２の下面にバックライト１４が配されている。このバックライト１４は、導光板１６と導光板１６の長手方向（以下、Ｘ方向という）に沿って配された直管状の冷陰極管よりなる２本のランプ１８，２０が配され、また、導光板１６の下面には反射板２２が配されている。さらに、導光板１６の上面には液晶セル１２に導光板１６からの光を均等に照射するための光学シート２４が配されている。ランプ１８，２０の周囲には、ランプ１８，２０の光を反射して導光板１６に送るためのリフレクター２６が配されている。
【００１６】
液晶セル１２とバックライト１４とは、合成樹脂製のフレーム２８に収納されている。このフレーム２８は、液晶セル１２とバックライト１４とを収納する収納凹部３０を有した箱型よりなり、矩形の底板３１から４つの側壁３２ａ、３２ｂ、３２ｃ、３２ｄが立設されている。このうち、Ｙ方向の相対向する側壁３０ａ、３０ｂの上端から外方に載置部４０ａ、４０ｂが設けられている。さらに、載置部４０ａ、４０ｂの外端部から外側壁４１ａ、４１ｂが垂設されている。また、Ｘ方向の側壁３２ｄの上端から内方に向かって載置部４０ｄが設けられている。そして、図４に示すようにこの側壁３２ｄと載置部４０ｄによって形成された空間にランプ１８，２０とリフレクター２６が配されている。
【００１７】
液晶セル１２のＸ方向には、液晶セル１２の信号線にアナログ画像信号を供給するための８個のＸ側ＴＣＰ（ｔａｐｅ  ｃａｒｒｉｅｒ  ｐａｃｋａｇｅ）３４が８個配され、Ｘ側フレキシブル基板（以下、Ｘ側ＰＣＢという）３６に接続されている。そして、図４に示すように、Ｘ側ＴＣＰ３４が側面３２ｃに沿って折曲され、Ｘ側ＰＣＢ３６がフレーム２８の下面に配される。
【００１８】
一方、液晶セル１２のＹ方向においては液晶セル１２の走査線にゲート信号を供給するためのＹ側ＴＣＰ３８が５つ配され、図５に示すように、フレーム２８の載置部４０ａに配されている。
【００１９】
さらに、フレーム２８の下面には、ランプ１８，２０の点灯回路であるインバータ回路を構成する点灯回路基板４２が配されている。
【００２０】
そして、この液晶表示装置１０の特徴であるパソコンからの信号によって液晶ディスプレイ１を表示させるために、パソコンからの信号を入力し制御するための制御回路基板４４がフレーム２８の下面中央部に配されている。
【００２１】
次に、各回路基板の接続状態について説明する。
【００２２】
Ｙ側ＴＣＰ３８とＸ側ＰＣＢ３６とは、フレキシブル基板４６で接続されている。この場合に、このフレキシブル基板４６のＸ側ＰＣＢ３６にコネクタ４８が設けられている。
【００２３】
Ｘ側ＰＣＢ３６と制御回路基板４４とがフレキシブル基板５０で接続され、そのコネクタ５２はＸ側ＰＣＢ３６に設けられている。
【００２４】
点灯回路基板４２と制御回路基板４４とはコード５４によって接続され、そのコネクタ５５は制御回路基板４４に設けられている。
【００２５】
ランプ１８，２０と、点灯回路基板４２とはコード５６、５７で接続され、そのコネクタ５８，６０は点灯回路基板４２に設けられている。
【００２６】
上記のようにして、フレーム２８には各回路基板が配されているが、このフレーム２８を、箱型の裏ベゼルカバー６２に収納する。そして、裏ベゼルカバー６２に収納された液晶セル１２、バックライト１４、フレーム２８に、上面が額縁状に形成された表ベゼルカバー６４を被せて、ネジ止めする。
【００２７】
これによって、液晶セル１２の表示面以外の部分が金属製の表ベゼルカバー６４と裏ベゼルカバー６２によって覆われる。そのため、電磁波が外部に漏れることを防ぐことができ、かつ、この状態で運搬等を行うことができる。そして、この状態の液晶表示装置１０を、図６に示す液晶ディスプレイ１のケース６６に収納する。
【００２８】
ところで、従来技術で説明したようにコネクタ４８、５２、５５、５８、６０が確実に各回路基板に接続されていることを確認するために、各コネクタに対応する裏ベゼルカバー６２の位置に円形の確認穴６８〜７４が開口している。
【００２９】
具体的には、図１に示すように次の箇所に開口している。
【００３０】
Ｘ側ＰＣＢ３６とＹ側ＴＣＰ３８とを接続するフレキシブル基板４６のコネクタ４８の位置に、第１の確認穴６８が開口している。
【００３１】
制御回路基板４４とＸ側ＰＣＢ３６とを接続するフレキシブル基板５０のコネクタ５２の位置に、第２の確認穴７０が開口している。
【００３２】
制御回路基板４４と点灯回路基板４２とを接続するコード５４のコネクタ５５の位置に、第３の確認穴７２が開口している。
【００３３】
ランプ１８，２０からのコード５６，５７の先端にあるコネクタ５８，６０の位置に、第４の確認穴７４が開口している。
【００３４】
これによって、裏ベゼルカバー６２を取り付けた後でも作業者がこの確認穴６８〜７４を通して容易に各コネクタの接続状態を確認できるため、コネクタの接続不良を容易に発見することができ、不良品の発生を防止することができる。
【００３５】
さらに、裏ベゼルカバー６２には、制御回路基板４４に、パソコン本体からの電源、制御信号、液晶表示装置１０の操作信号を送るための配線コードを挿入して接続するための接続穴７６，７８，８０が開口している。
【００３６】
この裏ベゼルカバー６２に開口している確認穴６８〜７４及び接続穴７６〜８０は、放熱穴としての効果も有し、さらに、裏ベゼルカバー６２の軽量化にも貢献している。
【００３７】
なお、確認穴６８〜７４が開口する位置及び形状は、接続されるコネクタの位置に対応して設ければよく、上記で説明した位置に限らない。また、確認穴６８〜７４は、円形に限らず矩形や三角形でもよい。
【００３８】
【発明の効果】
以上により本発明の平面表示装置であると、第２のベゼルカバーに確認穴が開口しているため、コネクタの接続状態を容易に確認することができ、コネクタの接続不良を防止することができる。
【図面の簡単な説明】
【図１】本発明の一実施例を示す液晶表示装置の下面図である。
【図２】裏ベゼルカバーを取り外した状態の液晶表示装置の下面図である。
【図３】液晶表示装置の上面図である。
【図４】図１におけるＡ−Ａ線断面図である。
【図５】図１におけるＢ−Ｂ線断面図である。
【図６】本実施例の液晶表示装置を収納した液晶ディスプレイの斜視図である。
【符号の説明】
１０  液晶表示装置
１２  液晶セル
１４  バックライト
２８  フレーム
３４  Ｘ側ＴＣＰ
３６  Ｘ側ＰＣＢ
３８  Ｙ側ＴＣＰ
４２  点灯回路基板
４４  制御回路基板
４６  フレキシブル基板
４８  コネクタ
５０  フレキシブル基板
５２  コネクタ
５４  コード
５５  コネクタ
５６  コード
５８  コネクタ
６０  コネクタ
６２  裏ベゼルカバー
６４  表ベゼルカバー
６８  確認穴
７０  確認穴
７２  確認穴
７４  確認穴
【図１】
0004991054.tif 000002
【図２】
0004991054.tif 000003
【図３】
0004991054.tif 000004
【図４】
0004991054.tif 000005
【図５】
0004991054.tif 000006
【図６】
0004991054.tif 000007